(57)【要約】【課題】クラッチ継合の判定精度を高めることのできる継合判定装置を提供する。【解決手段】制御装置１７は、エンジン１０のクランクシャフト１１と手動変速機１４との間に設けられるクラッチ１２の継合状態を判定する。制御装置１７は、機関回転速度の変化量が継合判定値以下のときにクラッチ１２が継合している旨判定する。そして、制御装置１７は、エンジン１０にて発生する出力トルクのうちでクランクシャフト１１に接続されたクラッチ１２に伝達されるトルクである軸トルクが小さいときほど、継合判定値が小さい値となるようにその継合判定値を可変設定する。【選択図】図１
2014189063.tif 000002
【特許請求の範囲】
【請求項１】
内燃機関の出力軸と手動変速機との間に設けられるクラッチの継合状態を判定する装置であって、
機関回転速度の変化量が継合判定値以下のときにクラッチが継合している旨判定するとともに、
内燃機関にて発生する出力トルクのうちで前記出力軸に接続されたクラッチに伝達されるトルクである軸トルクに基づいて前記継合判定値を設定する
ことを特徴とするクラッチの継合判定装置。
【請求項２】
前記軸トルクが小さいときほど前記継合判定値は小さい値に設定される
請求項１に記載のクラッチの継合判定装置。
【請求項３】
内燃機関がアイドル運転状態のときには、前記継合判定値は一定値に設定される
請求項１または２に記載のクラッチの継合判定装置。
【請求項４】
前記継合判定値を設定するときの前記軸トルクは、なまし処理を行った後の値であり、前記なまし処理による前記軸トルクのなまし度合は、アクセルペダルの非操作時に比して操作時の方が小さくされる
請求項１〜３のいずれか１項に記載のクラッチの継合判定装置。
【請求項５】
前記内燃機関の潤滑油の粘度が低いときには、同粘度が高いときに比して前記継合判定値は小さい値に設定される
請求項１〜４のいずれか１項に記載のクラッチの継合判定装置。
【請求項６】
機関運転状態に基づいて前記軸トルクを推定する
請求項１〜５のいずれか１項に記載のクラッチの継合判定装置。
【発明の詳細な説明】
【技術分野】
【０００１】
本発明は、内燃機関の出力軸と手動変速機との間に設けられるクラッチの継合状態を判定する装置に関する。
【背景技術】
【０００２】
手動変速機を備えた車両には、内燃機関の出力軸と手動変速機との間にクラッチが設けられており、車両の発進時には運転者によってクラッチが徐々に継合される。
こうした発進時のクラッチ継合に際して、内燃機関の出力トルクが不足すると、エンジンストールが発生するおそれがある。そこで、例えば特許文献１に記載されているように、クラッチ継合時における出力トルクの不足を自動的に補う制御装置などが提案されている。ここで、そうした出力トルクの補助は、クラッチが解放状態から継合状態（半クラッチ状態を含む継合状態）に変化してから行うことが好ましい。そこで、同文献１に記載の制御装置では、内燃機関の出力軸の回転速度である機関回転速度と手動変速機の入力軸回転速度との回転速度差が、予め定められた判定値以下のときに、クラッチが継合状態であると判定するようにしている。
【先行技術文献】
【特許文献】
【０００３】
【特許文献１】特開２００６−２３３９１１号公報
【発明の概要】
【発明が解決しようとする課題】
【０００４】
ところで、機関回転速度は、クラッチ継合以外の要因でも変動する。そのため、上記特許文献１に記載の装置では、クラッチ継合以外の要因で機関回転速度が変化したにもかかわらず、クラッチが継合状態であると誤判定するおそれがある。
【０００５】
本発明はこうした実情に鑑みてなされたものであり、その目的は、クラッチ継合の判定精度を高めることのできる継合判定装置を提供することにある。
【課題を解決するための手段】
【０００６】
上記課題を解決するクラッチの継合判定装置は、内燃機関の出力軸と手動変速機との間に設けられるクラッチの継合状態を判定する装置であって、機関回転速度の変化量が継合判定値以下のときにクラッチが継合している旨判定するようにしている。そして、その継合判定値は、内燃機関にて発生する出力トルクのうちで同機関の出力軸に接続されたクラッチに伝達されるトルクである軸トルクに基づいて設定する。
【０００７】
内燃機関の出力軸が回転するときの負荷は、クラッチが解放状態のときよりも継合状態のときの方が増大する。そのため、クラッチが継合状態のときには、解放状態のときと比較して、機関回転速度の変化量（より詳細には単位時間当たりの変化量）が小さくなる。そこで、同構成では、機関回転速度の変化量が、所定の継合判定値以下のときにクラッチが継合していると判定するようにしている。なお、同構成において、クラッチの継合とは、内燃機関の出力軸から手動変速機への動力伝達が可能なクラッチの状態のことであり、半クラッチ状態や完全継合状態のことをいう。
【０００８】
ところで、内燃機関にて発生する出力トルクのうちで内燃機関の出力軸に接続されたクラッチに伝達されるトルクを軸トルクと定義した場合に、つまり内燃機関にて発生する出力トルクから補機の駆動等による出力トルクの損失分を除いたトルクを軸トルクとした場合に、この軸トルクが小さいときほど機関回転速度の変化量は小さくなる。そこで、同構成では、機関回転速度の変化量に影響する軸トルクに基づいて継合判定値を設定するようにしており、これにより軸トルクの変化に合わせて継合判定値が適切に可変設定されるようになり、クラッチ継合の判定精度が高まるようになる。
【０００９】
また、同構成では、クラッチ継合による機関回転速度の変化に対して直接影響する上記軸トルクに基づき、継合判定値を可変設定するようにしている。そのため、機関回転速度がクラッチ継合以外の要因でも変化した場合でも、軸トルクに基づいて継合判定値は適切に可変設定される。例えば、補機の負荷増大によって機関回転速度が低下した場合には、補機の負荷増大によって軸トルクが小さくなる。そしてこうした補機の負荷増大による軸トルクの変化に合わせて継合判定値は適切に設定される。そのため、そうした補機の負荷増大による機関回転速度の低下を、クラッチの継合によるものであると誤判定する可能性が小さくなる。従って、こうした点でも、クラッチ継合の判定精度が高まるようになる。
【００１０】
ちなみに、上記特許文献１に記載の装置では、クラッチの継合状態を判定するために、手動変速機の入力軸回転速度を計測するセンサが必要になる。しかし、手動変速機は、自動変速機と異なり、一般的にはそうした入力軸回転速度を計測するセンサが設けられていない。そのため、クラッチの継合を判定するためには、そうした回転速度センサを追加で設ける必要があり、コストが増加してしまう。また、クラッチペダルのストローク量を計測するストロークセンサを設け、その計測されたストローク量に基づいてクラッチの継合を判定することも可能ではある。しかし、クラッチペダルには、一般的にそうしたストロークセンサが設けられていない。従って、この場合にも、クラッチの継合を判定するためには、ストロークセンサを追加で設ける必要があり、コストが増加してしまう。一方、上述した継合判定装置によれば、そうしたセンサを設けること無く、クラッチの継合状態を判定することができるようにもなる。
【００１１】
なお、上記継合判定装置において、軸トルクが小さいときほど継合判定値は小さい値に設定されることが好ましい。
また、内燃機関がアイドル運転状態のときには、アクセルペダルが操作されている場合と比較して上記軸トルクがそれほど大きく変化しないため、上述した継合判定値を可変ではなく、一定値に設定するようにしてもよい。
【００１２】
上記継合判定装置において、継合判定値を設定するときの軸トルクは、なまし処理を行った後の値としてもよい。そして、なまし処理による軸トルクのなまし度合は、アクセルペダルの非操作時に比して操作時の方が小さくされることが好ましい。
【００１３】
機関回転速度の変化量に関する判定値である上記継合判定値は、軸トルクに基づいて設定されるが、軸トルクの変化が機関回転速度の変化として現れるまでには時間的な遅れが生じる。そこで、継合判定値を設定するときの軸トルクは、なまし処理を行った後の値とすることにより、そうした時間的な遅れを考慮した適切な継合判定値を設定することができるようになる。
【００１４】
ここで、アクセルペダルが操作されているときには、アクセルペダルが操作されていないときに比べて、内燃機関から発生する出力トルクが大きくなるため、軸トルクの変化が早くなる。そこで、同構成では、なまし処理による軸トルクのなまし度合は、アクセルペダルの非操作時に比して操作時の方が小さくなるようにしている。従って、なまし処理前の軸トルクに対するなまし処理後の軸トルクの応答性は、アクセルペダルの非操作時に比して操作時の方が高くなり、アクセルペダルの操作時には、非操作時に比べて軸トルクのなまし値が素早く変化するようになる。そのため、アクセルペダルの非操作時と操作時とで軸トルクのなまし度合を同一にする場合と比較して、軸トルクのなまし値の変化を実際の軸トルクの変化に近づけることができるようになる。
【００１５】
上記継合判定装置において、内燃機関の潤滑油の粘度が低いときには、同粘度が高いときに比して継合判定値は小さい値に設定されることが好ましい。
内燃機関の出力軸が回転するときの回転抵抗は、内燃機関の潤滑油の粘度が低いときほど大きくなる。そのため、潤滑油の粘度が低いときほど、機関回転速度の変化量は小さくなる。そこで同構成では、潤滑油の粘度が低いときには、粘度が高いときに比して継合判定値を小さい値に設定するようにしている。従って、クラッチの継合を判定するに際して、潤滑油の粘度変化に起因する誤判定の発生を抑えることができるようになる。なお、潤滑油の粘度は、内燃機関の冷却水温や潤滑油の油温などと相関しているため、冷却水温や油温に応じて継合判定値を変更するようにしてもよい。
【００１６】
上記継合判定装置において、上記軸トルクを機関運転状態に基づいて推定するようにしてもよい。同構成によれば、軸トルクを検出するセンサ等を設けることなく、クラッチの継合判定を行うことができるようになる。なお、軸トルクの推定は、適宜行うことができる。例えば内燃機関にて発生する出力トルクを、吸入空気量、機関回転速度、点火時期等に基づいて算出する。そして、この出力トルクから、補機駆動による負荷トルクや、潤滑油の粘度に応じた負荷トルク、あるいは機関回転速度を目標アイドル回転速度に維持するために必要なトルクなどを減算することにより軸トルクを推定することができる。
【図面の簡単な説明】
【００１７】
【図１】クラッチの継合判定装置の一実施形態における構成を示す模式図。
【図２】同実施形態において、クラッチの継合を判定するための一連の処理手順を示すフローチャート。
【図３】同実施形態において、エンジン軸トルクを算出する処理手順を示すフローチャート。
【図４】同実施形態において、継合判定値を設定する処理手順を示すフローチャート。
【図５】エンジン軸トルクと継合判定値との関係を示すグラフ。
【図６】同実施形態において、クラッチの継合判定を行う処理手順を示すフローチャート。
【発明を実施するための形態】
【００１８】
以下、クラッチの継合判定装置の一実施形態について、図１〜図６を参照して説明する。本実施形態の継合判定装置は、手動変速機付きの車両に搭載されるエンジンに適用される。
【００１９】
図１に示すように、エンジン１０の出力軸であるクランクシャフト１１は、クラッチ１２を介して手動変速機１４の入力軸である変速機入力軸１５に接続されている。クラッチ１２は、運転者のクラッチペダル１３の踏み込み／踏み離しに応じて解放／継合されて、クランクシャフト１１と変速機入力軸１５との間の動力伝達を断接する。一方、手動変速機１４は、運転者のシフトレバー１６の操作に応じてギア位置を変更し、車両の駆動系の変速比を変更する。
【００２０】
クランクシャフト１１には、空調用のコンプレッサ３０やオルタネータ３１などの補機が駆動連結されている。
エンジン１０は、制御装置１７によって制御されている。制御装置１７には、車両の各部に設けられたセンサやスイッチ等の検出信号が入力されている。そうしたセンサ等としては、例えばエンジン１０の吸入空気量ＧＡを検出するエアフロメータ２０、エンジン１０の回転速度である機関回転速度ＮＥを検出するクランク角センサ２１、エンジン１０の冷却水温ＴＨＷを検出する水温センサ２２、アクセルペダルの操作量であるアクセル操作量ＡＣＣＰを検出するアクセルセンサ２３がある。また、そうしたセンサ等としては、車両の車速ＳＰを検出する車速センサ２４、シフトレバー１６の操作位置であるシフト位置ＳＦＴを検出するシフトセンサ２５がある。また、スイッチ等としては、クラッチペダル１３の非操作を検出することによりクラッチ１２が完全継合していることを検出する第１クラッチスイッチ２６Ｕ、クラッチペダル１３の踏み込みを検出することによりクラッチ１２が解放されていることを検出する第２クラッチスイッチ２６Ｌなどがある。
【００２１】
制御装置１７は、各種センサの検出信号等に基づいてエンジン１０の燃料噴射制御や点火時期制御等、各種の機関制御を行う。
また、制御装置１７は、車両発進時のクラッチ継合に際して、運転者のアクセル操作不足によるエンジン１０の出力トルク不足に起因したエンジンストールの発生を抑えるために、車両発進時のクラッチ継合時には、出力トルクの不足を自動的に補う出力補助制御を行う。
【００２２】
ここで、そうした出力トルクの補助を、クラッチ１２が解放状態のときから行ってしまうと、機関回転速度が吹け上がったり、クラッチ１２が継合し始めたときにトルクショックが生じるおそれがある。そこで、出力トルクの補助は、解放状態にあったクラッチ１２が継合し始めてから行うようにしており、そうしたクラッチ１２の継合判定を以下のようにして行うようにしている。
【００２３】
すなわちクランクシャフト１１が回転するときの負荷は、クラッチ１２が解放状態のときよりも継合状態のときの方が増大する。そのため、クラッチ１２が継合状態のときには、解放状態のときと比較して、機関回転速度ＮＥの変化量（より詳細には機関回転速度ＮＥの単位時間当たりの変化量、つまり機関回転速度ＮＥの変化速度に相当する）が小さくなる。そこで、機関回転速度ＮＥの単位時間当たりの変化量である速度変化量ΔＮＥを所定周期毎に算出し、その速度変化量ΔＮＥが、所定の継合判定値Ｈ以下のときにクラッチ１２が継合していると判定するようにしている。なお、クラッチの継合とは、クランクシャフト１１から手動変速機１４への動力伝達が可能なクラッチ１２の状態のことであり、半クラッチ状態や完全継合状態のことをいう。また、速度変化量ΔＮＥの算出に際しては、今回の算出周期で読み込んだ機関回転速度ＮＥから前回の算出周期で読み込んだ機関回転速度ＮＥを減じて速度変化量ΔＮＥを求める。従って、機関回転速度が増大しているときの速度変化量ΔＮＥは正の値（ΔＮＥ＞０）になる。例えば機関回転速度ＮＥの今回値が「７００（ｒ／ｍｉｎ）」、前回値が「５００（ｒ／ｍｉｎ）」の場合には、速度変化量ΔＮＥは「２００（ｒｐｍ／ｍｉｎ）」になる。一方、機関回転速度が低下しているときの速度変化量ΔＮＥは負の値（ΔＮＥ＜０）になる。例えば機関回転速度ＮＥの今回値が「５００（ｒ／ｍｉｎ）」、前回値が「７００（ｒ／ｍｉｎ）」の場合には、速度変化量ΔＮＥは「−２００（ｒｐｍ／ｍｉｎ）」になる。
【００２４】
図２に、クラッチ１２の継合を判定するために行われる各処理工程の手順を示し、図３〜図６に、各処理工程での詳細な処理手順を示す。なお、図２に示す一連の処理手順は、制御装置１７によって所定周期毎に繰り返し実行される。
【００２５】
図２に示すように、まずはじめに、制御装置１７によって、エンジン軸トルクＴＥの算出処理が行われる（Ｓ１００：処理内容の詳細は図３を参照）。このエンジン軸トルクＴＥは、エンジン１０にて発生する出力トルクのうちでクランクシャフト１１に接続されたクラッチ１２に伝達されるトルクである軸トルク、つまりエンジン１０の出力トルクから補機の駆動等による出力トルクの損失分を除いたトルクである軸トルクをなまし処理した値である。
【００２６】
エンジン軸トルクＴＥの算出処理が行われると、継合判定値Ｈの設定処理が行われる（Ｓ２００：処理内容の詳細は図４及び図５を参照）。この継合判定値Ｈは、クラッチ１２が継合しているか否かを判定するための値であって、エンジン軸トルクＴＥ等に基づいて可変設定される。
【００２７】
継合判定値Ｈの設定処理が行われると、その設定された継合判定値Ｈを用いてクラッチ１２の継合判定処理が行われる（Ｓ３００：処理内容の詳細は図６を参照）。そして、この一連の処理工程は一旦終了される。
【００２８】
次に、各処理工程の詳細を説明する。
（エンジン軸トルクの算出処理）
図３に示すように、この算出処理が開始されると、まずはじめに、燃料カット中であるか否かが判定される（Ｓ１１０）。そして、燃料カット中ではないときには（Ｓ１１０：ＮＯ）、エンジン１０にて発生している出力トルクＴＥｓが機関運転状態に基づいて算出される（Ｓ１２０）。このステップＳ１２０では、吸入空気量ＧＡ及び機関回転速度ＮＥ等に基づいて出力トルクＴＥｓのベース値が算出される。そして、点火時期による出力トルク変化を考慮するために、現在設定されている点火時期に応じて出力トルクＴＥｓのベース値が補正され、その補正後のベース値が出力トルクＴＥｓに設定される。
【００２９】
一方、ステップＳ１１０にて、燃料カット中であると判定されるときには（Ｓ１１０：ＹＥＳ）、エンジン１０において混合気の燃焼が起きていないため、出力トルクＴＥｓは「０」に設定される（Ｓ１３０）。
【００３０】
次に、基本軸トルクＴＥｂの算出が行われる（Ｓ１４０）。この基本軸トルクＴＥｂは、なまし処理を行う前のエンジン軸トルクＴＥであり、適宜の態様で算出することができる。例えば本実施形態では、次式（１）に基づいて算出される。
【００３１】
ＴＥｂ＝ＴＥｓ−ＴＥｈ−ＴＥｉｄ  …（１）
ＴＥｂ：基本軸トルクＴＥｂ
ＴＥｓ：出力トルク
ＴＥｈ：負荷トルク
ＴＥｉｄ：アイドル学習トルク
負荷トルクＴＥｈは、エンジン１０で発生した出力トルクＴＥｓがクランクシャフト１１に接続されたクラッチ１２に伝達されるまでの間に低下するトルク分であり、例えばコンプレッサ３０やオルタネータ３１の駆動負荷トルクや、潤滑油の粘度に応じた負荷トルクなどである。なお、コンプレッサ３０の駆動負荷トルクは、空調装置の冷媒圧力等に基づいて算出可能であり、オルタネータ３１の駆動負荷トルクは、オルタネータ３１の発電量に基づいて算出可能である。また、潤滑油の粘度に応じた負荷トルクは、冷却水温ＴＨＷや潤滑油の油温などに基づいて算出可能である。
【００３２】
また、アイドル学習トルクＴＥｉｄは、エンジン１０の機関回転速度ＮＥを目標アイドル回転速度に維持するために必要なトルクであり、このアイドル学習トルクＴＥｉｄには、上記負荷トルクＴＥｈの実際値がある値度反映される。例えば実際の負荷トルクＴＥｈが高ければアイドル学習トルクＴＥｉｄは比較的高くなり、実際の負荷トルクＴＥｈが低ければアイドル学習トルクＴＥｉｄは比較的に小さくなる。こうしたアイドル学習トルクＴＥｉｄを加味することにより、推定トルクである上記負荷トルクＴＥｈの推定誤差が基本軸トルクＴＥｂの算出に与える影響を抑えることができる。
【００３３】
次に、アクセルペダルが「ＯＮ」であるか、つまりアクセルペダルが操作されているか否かがアクセル操作量ＡＣＣＰ等に基づいて判定される（Ｓ１５０）。そして、アクセルペダルが「ＯＮ」であるときには（Ｓ１５０：ＹＥＳ）、基本軸トルクＴＥｂをなまし処理するときのなまし係数ＫＮとして、第１係数ＫＮ１が設定される（Ｓ１６０）。
【００３４】
一方、アクセルペダルが「ＯＮ」ではなく、アクセルペダルが操作されていないときには（Ｓ１５０：ＮＯ）、基本軸トルクＴＥｂをなまし処理するときのなまし係数ＫＮとして、第２係数ＫＮ２が設定される（Ｓ１７０）。
【００３５】
第１係数ＫＮ１としては、なまし処理による基本軸トルクＴＥｂのなまし度合が第２係数ＫＮ２と比較して小さくなるようにその値は設定されている。つまり、なまし処理前の基本軸トルクＴＥｂに対するなまし処理後のエンジン軸トルクＴＥの応答性について、第２係数ＫＮ２によるなまし処理よりも第１係数ＫＮ１によるなまし処理の方が高くなるように、第１係数ＫＮ１及び第２係数ＫＮ２はそれぞれ設定されている。
【００３６】
こうしてなまし係数ＫＮが設定されると、その設定されたなまし係数ＫＮを用いて基本軸トルクＴＥｂのなまし処理が行われて、なまし処理後の基本軸トルクＴＥｂがエンジン軸トルクＴＥとして算出される（Ｓ１８０）。そして、このエンジン軸トルクＴＥの算出処理が終了すると、次に、継合判定値Ｈの設定処理が行われる。
（継合判定値の設定処理）
図４に示すように、この設定処理が開始されると、まずはじめに、アクセルペダルが「ＯＮ」であるか、つまりアクセルペダルが操作されているか否かがアクセル操作量ＡＣＣＰ等に基づいて判定される（Ｓ２１０）。そして、アクセルペダルが「ＯＮ」であるときには（Ｓ２１０：ＹＥＳ）、現在の冷却水温ＴＨＷが低温判定値ＴＨＷ１よりも低いか否かが判定される（Ｓ２２０）。このステップ２２０では、冷却水温ＴＨＷを利用してエンジン１０の潤滑油の粘度状態が判定される。
【００３７】
そして、現在の冷却水温ＴＨＷが低温判定値ＴＨＷ１以上のときには（Ｓ２２０：ＮＯ）、アクセルペダルの操作時に適した継合判定値Ｈが第１マップに基づいて設定される（Ｓ２４０）。
【００３８】
一方、ステップＳ２２０にて、現在の冷却水温ＴＨＷが低温判定値ＴＨＷ１よりも低いと判定されるときには（Ｓ２２０：ＹＥＳ）、アクセルペダルの操作時であって潤滑油の高粘度時に適した継合判定値Ｈが第２マップに基づいて設定される（Ｓ２５０）。
【００３９】
また、上記ステップＳ２１０にて、アクセルペダルが「ＯＮ」ではないと判定されるときには（Ｓ２１０：ＮＯ）、現在の機関運転状態がアイドル状態であると判断され、次に、現在の冷却水温ＴＨＷが上記低温判定値ＴＨＷ１よりも低いか否かが判定される（Ｓ２３０）。このステップ２３０でも、冷却水温ＴＨＷを利用してエンジン１０の潤滑油の粘度状態が判定される。
【００４０】
そして、現在の冷却水温ＴＨＷが低温判定値ＴＨＷ１以上のときには（Ｓ２３０：ＮＯ）、アイドル運転時に適した継合判定値Ｈが第３マップに基づいて設定される（Ｓ２６０）。
【００４１】
一方、ステップＳ２３０にて、現在の冷却水温ＴＨＷが低温判定値ＴＨＷ１よりも低いと判定されるときには（Ｓ２３０：ＹＥＳ）、アイドル運転時であって潤滑油の高粘度時に適した継合判定値Ｈが第４マップに基づいて設定される（Ｓ２７０）。
【００４２】
図５に、第１マップ、第２マップ、第３マップ、第４マップによる継合判定値Ｈの設定態様を示す。なお、図５に示す実線Ｌ１には、第１マップ（アクセル操作時）による継合判定値Ｈの設定態様を示し、実線Ｌ２には、第２マップ（アクセル操作時かつ高粘度時）による継合判定値Ｈの設定態様を示す。また、図５に示す一点鎖線Ｌ３には、第３マップ（アイドル運転時）による継合判定値Ｈの設定態様を示し、一点鎖線Ｌ４には、第４マップ（アイドル運転時かつ高粘度時）による継合判定値Ｈの設定態様を示す。ちなみに、上述したように、機関回転速度ＮＥが増大しているときには、図５において、速度変化量ΔＮＥが正の値になる。一方、機関回転速度ＮＥが低下しているときには、図５において、速度変化量ΔＮＥは負の値になる。
【００４３】
まずはじめに、継合判定値Ｈによる継合判定について説明する。先の図５に示すように、例えば第１マップに基づき、あるエンジン軸トルクＴＥ１に対応した継合判定値Ｈ（Ｈ＞０、例えばＨ＝５０）が設定された場合、そのときの速度変化量ΔＮＥの値が、継合判定値Ｈよりも大きい値の速度変化量ΔＮＥ１（ΔＮＥ１＞０、例えばΔＮＥ１＝７０）となっており、「ΔＮＥ＞継合判定値Ｈ」の状態になっているときには、クラッチ１２は解放状態にあると判定される。一方、機関回転速度の増大時において、クラッチ１２の継合が開始されることによりクランクシャフト１１の回転に対する負荷が増大すると、機関回転速度ＮＥの増加速度は低下する。そのため、速度変化量ΔＮＥの値が、継合判定値Ｈ（例えばＨ＝５０）以下の値である速度変化量ΔＮＥ２（ΔＮＥ２＞０、例えばΔＮＥ２＝２０）となっており「ΔＮＥ≦継合判定値Ｈ」の状態が所定時間続いたときには、クラッチ１２は継合状態にあると判定される。
【００４４】
なお、図５には図示しないが、速度変化量ΔＮＥが負の値になる領域では、あるエンジン軸トルクＴＥ１に対応した継合判定値Ｈ（Ｈ＜０、例えばＨ＝−２０）が設定された場合、そのときの速度変化量ΔＮＥの値が、継合判定値Ｈよりも大きい値の速度変化量ΔＮＥ３（ΔＮＥ３＜０、例えばΔＮＥ３＝−１０）となっており、「ΔＮＥ＞継合判定値Ｈ」の状態になっているときには、クラッチ１２は解放状態にあると判定される。一方、機関回転速度の低下時において、クラッチ１２の継合が開始されることによりクランクシャフト１１の回転に対する負荷が増大すると、機関回転速度ＮＥの低下速度は増大する。そのため、速度変化量ΔＮＥの値が、継合判定値Ｈ（例えばＨ＝−２０）以下の値である速度変化量ΔＮＥ４（ΔＮＥ＜０、例えばΔＮＥ４＝−３０）となっており「ΔＮＥ≦継合判定値Ｈ」の状態が所定時間続いたときには、クラッチ１２は継合状態にあると判定される。
【００４５】
ちなみに、速度変化量ΔＮＥが正の値であれ、負の値であれ、その絶対値が大きくなるほど、機関回転速度ＮＥの変化量は大きいと言える。従って、図５においては、速度変化量ΔＮＥが「０」から離れてプラス側に大きくなるほど、あるいはマイナス側に大きくなるほど、機関回転速度ＮＥの変化量は大きいと言える。しかし、本実施形態では、上述したように、「ΔＮＥ≦継合判定値Ｈ」の状態が所定時間続いたときに、クラッチ１２は継合状態にあると判定するようにしており、速度変化量ΔＮＥの値そのものと継合判定値Ｈの値そのものとを比較するようにしている。そのため、本実施形態では、そうした比較判定での大小関係を明らかにすべく、速度変化量ΔＮＥの値が負であってその絶対値が大きくなるほど速度変化量ΔＮＥの値自体は継合判定値Ｈの値よりも小さくなっていくことを鑑み、速度変化量ΔＮＥの値が負であってその絶対値が大きくなるほど速度変化量ΔＮＥ（の値）は小さいという。また、速度変化量ΔＮＥの値が正であってその絶対値が大きくなるほど速度変化量ΔＮＥの値自体は継合判定値Ｈの値よりも大きくなっていくため、速度変化量ΔＮＥの値が正であってその絶対値が大きくなるほど速度変化量ΔＮＥ（の値）は大きいという。
【００４６】
継合判定値Ｈは、エンジン軸トルクＴＥに基づいて可変設定される。すなわち、図５において、実線Ｌ１及び実線Ｌ２に示すように、アクセル操作時の継合判定値Ｈは、エンジン軸トルクＴＥが小さいときほど小さくなるように、同エンジン軸トルクＴＥに基づいて可変設定される。これは、軸トルクが小さいときほど機関回転速度ＮＥの変化量が小さくなるためであり、エンジン軸トルクＴＥが小さいときほど継合判定値Ｈを小さくすることにより、軸トルクの変化に合わせて継合判定値Ｈが適切に可変設定されて、クラッチ継合の判定精度が高まるようになる。
【００４７】
また、エンジン１０がアイドル運転状態のときには、アクセルペダルが操作されている場合と比較して上記軸トルクがそれほど大きく変化しない。そのため、エンジン軸トルクＴＥが、アイドル運転状態のときのエンジン軸トルクＴＥの取り得る範囲に相当する「ＴＥａ」から「ＴＥｂ」の範囲にあるときの継合判定値Ｈは、一点鎖線Ｌ３及び一点鎖線Ｌ４に示すように、一定の速度変化量に設定される。なお、本実施形態では、エンジン軸トルクＴＥが「ＴＥａ」以下になると、一定値に設定されていた継合判定値Ｈは、エンジン軸トルクＴＥが小さくなるほど小さい値となるようにしているが、エンジン軸トルクＴＥが「ＴＥａ」以下においても継合判定値Ｈを一定値に維持するようにしてもよい。
【００４８】
また、クランクシャフト１１が回転するときの回転抵抗は、エンジン１０の潤滑油の粘度が低いときほど大きくなる。そのため、潤滑油の粘度が低いときほど、速度変化量ΔＮＥは小さくなる。そこで、冷却水温ＴＨＷが低温判定値ＴＨＷ１よりも低く、潤滑油の粘度がある程度低くなっていると判断できるときには、粘度が高いときに比して継合判定値Ｈを小さい値に設定するようにしている。
【００４９】
つまり、先の図５に示すように、同一のエンジン軸トルクＴＥであっても、第２マップ（アクセル操作時かつ高粘度時）で設定される継合判定値Ｈ（実線Ｌ２）は、第１マップ（アクセル操作時）で設定される継合判定値Ｈ（実線Ｌ２）よりも小さくされる。同様に、同一のエンジン軸トルクＴＥであっても、第４マップ（アイドル運転時かつ高粘度時）で設定される継合判定値Ｈ（一点鎖線Ｌ３）は、第３マップ（アイドル運転時）で設定される継合判定値Ｈ（一点鎖線Ｌ４）よりも小さくされる。これによりクラッチ１２の継合を判定するに際して、潤滑油の粘度変化に起因する誤判定の発生が抑えられる。
【００５０】
なお、本実施形態では、基本軸トルクＴＥｂの算出に際して、潤滑油の粘度に応じた負荷トルクを考慮するようにしているが、潤滑油の粘度がある程度低くなると、その粘度変化が基本軸トルクＴＥｂの算出精度に影響を与えるおそれがある。その基本軸トルクＴＥｂの算出精度が低下すると、基本軸トルクＴＥｂのなまし値であるエンジン軸トルクＴＥの算出精度も低下し、継合判定値Ｈが最適な値からずれてしまうため、クラッチ１２が継合していないにもかかわらず、継合したと誤判定されてしまう可能性がある。しかし、本実施形態では、潤滑油の粘度がある程度低くなっていると判断できるときには、粘度が高いときに比して継合判定値Ｈを小さい値に設定するようにしているため、基本軸トルクＴＥｂの算出精度が低下しやすいときには、クラッチ１２が継合しているとの判定が行われにくくなる。従って、潤滑油の粘度変化による基本軸トルクＴＥｂの算出精度低下に起因したクラッチ継合の誤判定も抑えることができる。
【００５１】
こうして第１マップから第４マップのいずれかを用いて継合判定値Ｈが設定されると、継合判定値の設定処理は終了され、次に、クラッチ１２の継合判定処理が行われる。
（クラッチの継合判定処理）
図６に示すように、この継合判定処理が開始されると、まずはじめに、カウンタＣのクリヤ条件が成立しているか否かが判定される（Ｓ３１０）。カウンタＣは、基本的には、車両発進時においてクラッチペダル１３が操作されることにより速度変化量ΔＮＥが継合判定値Ｈ以下となった継続時間を計測するための値である。そして、下記の条件（Ａ）〜（Ｌ）のいずれか成立すると、カウンタＣのクリヤ条件が成立したと判定される。なお、簡易的には、条件（Ａ）のみをカウンタＣのクリヤ条件としてもよい。また、条件（Ａ）〜（Ｌ）のうちのいずれかを省略したり、別の条件を追加してもよい。
【００５２】
（Ａ）「速度変化量ΔＮＥ＞継合判定値Ｈ」となっている。
（Ｂ）第１クラッチスイッチ２６Ｕによってクラッチ１２の完全継合が検出されている。
【００５３】
（Ｃ）第２クラッチスイッチ２６Ｌによってクラッチ１２の解放が検出されている。
（Ｄ）冷却水温ＴＨＷが上記低温判定値ＴＨＷ１よりも低い値に設定された極低温判定値ＴＨＷ２よりも低くなっている。なお、この条件は、エンジン軸トルクＴＥと速度変化量ΔＮＥとの関係が成立しないほどに潤滑油の粘度が非常に低くなっており、継合判定値Ｈによるクラッチ１２の継合判定を適切に行うことができないときには、クラッチ１２の継合判定を禁止するために設けられている。
【００５４】
（Ｅ）完爆後からの経過時間が所定時間内である。なお、この条件は、完爆から所定時間が経過するまでの間は、エンジン１０の実際の出力トルクが不安定であり、上記出力トルクＴＥｓの算出精度が低下することにより継合判定値Ｈが誤った値に設定されることを防ぐために設けられている。
【００５５】
（Ｆ）クランクシャフト１１を回転させるスタータモータが回転中である。
（Ｇ）エンジン１０を始動するためのイグニッションスイッチが「ＯＦＦ」であり、エンジン１０が始動していない。
【００５６】
（Ｊ）エンジン１０が加速状態であり、発進状態ではない。
（Ｋ）クラッチ継合の判定に関してその実行を禁止する異常判定がなされていない。
（Ｌ）シフトレバー１６のシフト位置ＳＦＴが「ニュートラル位置」を示している。
【００５７】
そして、カウンタＣのクリヤ条件が成立しているときには（Ｓ３１０：ＹＥＳ）、車両発進時でのクラッチ継合状態ではないと判断できるため、カウンタＣが「０」にクリヤされる（Ｓ３１０）。
【００５８】
一方、カウンタＣのクリヤ条件が成立していないとき、つまり条件（Ａ）〜（Ｌ）の全てが成立しているときには（Ｓ３１０：ＮＯ）、車両発進時でのクラッチ継合状態であると判断できるため、カウンタＣが計測される（Ｓ３２０）。
【００５９】
次に、現在のカウンタＣが継続判定値Ｃ１を超えているか否かが判定される（Ｓ３４０）。この継続判定値Ｃ１には、カウンタＣのクリヤ条件の不成立が継続的なものであり、現在、車両発進時であってクラッチ継合が行われていると判定できる程度の時間に相当する値が予め設定されている。
【００６０】
そして、現在のカウンタＣが継続判定値Ｃ１を超えているときには（Ｓ３４０：ＹＥＳ）、クラッチ１２が継合していると判定されて（Ｓ３５０）、この継合判定処理は終了される。こうしてクラッチ１２が継合していると判定されると、先の図２に示した一連の処理は終了される。
【００６１】
一方、現在のカウンタＣが継続判定値Ｃ１以下のときには（Ｓ３４０：ＮＯ）、クラッチ１２が継合していると判定することなく、この継合判定処理は終了される。そして、所定の実行周期にて再び先の図２に示した一連の処理が行われる。
【００６２】
次に、本実施形態の作用を説明する。
上述したように、クランクシャフト１１が回転するときの負荷は、クラッチ１２が解放状態のときよりも継合状態のときの方が増大する。そこで、機関回転速度ＮＥの単位時間当たりの変化量である速度変化量ΔＮＥを所定周期毎に算出し、その速度変化量ΔＮＥが、継合判定値Ｈ以下のときにクラッチ１２が継合していると判定するようにしている。  ここで、軸トルク（エンジン１０にて発生する出力トルクのうちでクランクシャフト１１に接続されたクラッチ１２に伝達されるトルク）が小さいときほど機関回転速度ＮＥの変化量は小さくなる。そこで、機関回転速度ＮＥの変化量に影響するエンジン軸トルクＴＥに基づいて継合判定値Ｈを設定するようにしている。より詳細には、エンジン軸トルクＴＥが小さいときほど継合判定値Ｈを小さくしている。これによりエンジン軸トルクＴＥの変化に合わせて継合判定値Ｈが適切に可変設定されるようになり、クラッチ継合の判定精度が高まるようになる。
【００６３】
また、上記軸トルクは、クラッチ継合による機関回転速度ＮＥの変化に対して直接影響する。そこで、上述したように、エンジン軸トルクＴＥに基づいて継合判定値Ｈを可変設定するようにしている。そのため、機関回転速度ＮＥがクラッチ継合以外の要因でも変化した場合でも、エンジン軸トルクＴＥに基づいて継合判定値Ｈは適切に可変設定される。例えば、補機等の負荷増大によって機関回転速度ＮＥが低下した場合には、補機の負荷増大によってエンジン軸トルクＴＥが小さくなる。そして、こうした補機の負荷増大によるエンジン軸トルクＴＥの変化に合わせて継合判定値Ｈは小さくなるため、クラッチ１２が継合しているとの判定がされにくくなる。そのため、そうした補機の負荷増大による機関回転速度ＮＥの低下を、クラッチ１２の継合によるものであると誤判定する可能性が小さくなる。従って、こうした点でも、クラッチ継合の判定精度が高まるようになる。
【００６４】
ちなみに、上記特許文献１に記載の装置では、クラッチの継合状態を判定するために、手動変速機の入力軸回転速度が必要であり、入力軸回転速度を計測するセンサが必要になる。しかし、手動変速機は、自動変速機と異なり、一般的にはそうした入力軸回転速度を計測するセンサが設けられていない。そのため、クラッチの継合を判定するためには、そうした回転速度センサを追加で設ける必要があり、コストが増加してしまう。また、クラッチペダルのストローク量を計測するストロークセンサを設け、その計測されたストローク量に基づいてクラッチの継合を判定することも可能ではある。しかし、クラッチペダルには、一般的にそうしたストロークセンサが設けられていない。従って、この場合にも、クラッチの継合を判定するためには、ストロークセンサを追加で設ける必要があり、コストが増加してしまう。一方、本実施形態によれば、そうしたセンサを設けること無く、クラッチ１２の継合状態を判定することができるようにもなる。
【００６５】
上記継合判定装置において、継合判定値を設定するときの軸トルクは、なまし処理を行った後の値としてもよい。そして、なまし処理による軸トルクのなまし度合は、アクセルペダルの非操作時に比して操作時の方が小さくされることが好ましい。
【００６６】
また、速度変化量ΔＮＥに関する判定値である上記継合判定値Ｈは、軸トルクに基づいて設定されるが、軸トルクの変化が機関回転速度ＮＥの変化として現れるまでには時間的な遅れが生じる。そこで、継合判定値Ｈを設定するときの軸トルクとして、なまし処理を行った後の値であるエンジン軸トルクＴＥを用いるようにしており、これによりそうした時間的な遅れを考慮した適切な継合判定値Ｈが設定されるようになる。
【００６７】
ここで、アクセルペダルが操作されているときには、アクセルペダルが操作されていないときに比べて、エンジン１０から発生する出力トルクが大きくなるため、実際の軸トルクの変化が早くなる。そこで、なまし処理による基本軸トルクＴＥｂのなまし度合は、アクセルペダルの非操作時に比して操作時の方が小さくなるようにしている。従って、なまし処理前の基本軸トルクＴＥｂに対するなまし処理後のエンジン軸トルクＴＥの応答性は、アクセルペダルの非操作時に比して操作時の方が高くなり、アクセルペダルの操作時には、非操作時に比べて基本軸トルクＴＥｂのなまし値であるエンジン軸トルクＴＥが素早く変化するようになる。そのため、アクセルペダルの非操作時と操作時とで基本軸トルクＴＥｂのなまし度合を同一にする場合と比較して、基本軸トルクＴＥｂのなまし値の変化は、実際の軸トルクの変化に近づくようになり、例えば速度変化量ΔＮＥに関する判定値である上記継合判定値Ｈの精度が高まるようになる。
【００６８】
また、潤滑油の粘度が低いときほど、機関回転速度ＮＥの変化量は小さくなるため、クラッチ継合に関する誤判定を抑えるためには、潤滑油の粘度が低いときほど、継合判定値Ｈを小さくすることが望ましい。そこで冷却水温ＴＨＷが低温判定値ＴＨＷ１よりも低く潤滑油の粘度が低いときには、冷却水温ＴＨＷが低温判定値ＴＨＷ１以上であって潤滑油の粘度が高いときに比して継合判定値Ｈが小さい値となるように、上記継合判定値Ｈの設定マップを切り替えている。従って、クラッチ１２の継合を判定するに際して、潤滑油の粘度変化に起因する誤判定の発生が抑えられるようになる。
【００６９】
また、基本軸トルクＴＥｂを機関運転状態に基づいて推定するようにしているため、軸トルクを検出するセンサ等を設けることなく、クラッチ１２の継合判定を行うことができる。
【００７０】
以上説明したように、本実施形態によれば、以下の効果を得ることができる。
（１）クラッチ１２が継合していると判定するための条件として、速度変化量ΔＮＥが継合判定値Ｈ以下であるという条件を設けている。そして、継合判定値Ｈをエンジン軸トルクＴＥに基づいて設定するようにしている。より詳細には、エンジン軸トルクＴＥが小さいときほど継合判定値Ｈが小さくなるように可変設定している。従って、エンジン軸トルクＴＥの変化に合わせて継合判定値Ｈが適切に可変設定されるようになり、クラッチ継合の判定精度が高まるようになる。
【００７１】
（２）また、クラッチ継合による機関回転相度ＮＥの変化に対して直接影響するエンジン軸トルクＴＥに基づき、上記継合判定値Ｈを可変設定するようにしている。そのため、機関回転速度ＮＥがクラッチ継合以外の要因でも変化した場合でも、エンジン軸トルクＴＥに基づいて継合判定値Ｈは適切に可変設定される。従って、こうした点でも、クラッチ継合の判定精度が高まるようになる。
【００７２】
（３）手動変速機の入力軸回転速度を計測するセンサや、クラッチペダルのストローク量を計測するストロークセンサを設けることなく、クラッチ１２の継合状態を判定することができるようになる。
【００７３】
（４）軸トルクの変化が機関回転速度ＮＥの変化として現れるまでには時間的な遅れが生じる。そこで、継合判定値Ｈを設定するときの軸トルクとして、なまし処理を行った後の値であるエンジン軸トルクＴＥを用いるようにしている。従って、そうした時間的な遅れを考慮した適切な継合判定値Ｈが設定されるようになる。
【００７４】
また、なまし処理による基本軸トルクＴＥｂのなまし度合は、アクセルペダルの非操作時に比して操作時の方が小さくなるようにしている。従って、アクセルペダルの非操作時と操作時とで基本軸トルクＴＥｂのなまし度合を同一にする場合と比較して、基本軸トルクＴＥｂのなまし値の変化を、実際の軸トルクの変化に近づけることができるようになる。
【００７５】
（５）冷却水温ＴＨＷが低温判定値ＴＨＷ１よりも低く潤滑油の粘度が低いときには、冷却水温ＴＨＷが低温判定値ＴＨＷ１以上であって潤滑油の粘度が高いときに比して継合判定値Ｈが小さい値となるようにしている。従って、クラッチ１２の継合を判定するに際して、潤滑油の粘度変化に起因する誤判定の発生が抑えられるようになる。
【００７６】
（６）基本軸トルクＴＥｂを機関運転状態に基づいて推定するようにしているため、軸トルクを検出するセンサ等を設けることなく、クラッチ１２の継合判定を行うことができるようになる。
【００７７】
なお、上記実施形態は、以下のように変更して実施することもできる。
・潤滑油の粘度は、冷却水温ＴＨＷのみならず潤滑油の油温などにも相関しているため、継合判定値Ｈを設定する上記各マップを油温に応じて切り替えるようにしてもよい。  ・潤滑油の粘度が高いとき（冷却水温ＴＨＷ≧低温判定値ＴＨＷ１）と低いとき（冷却水温ＴＨＷ＜低温判定値ＴＨＷ１）の２段階で継合判定値Ｈを替えるようにしたが、より細かく継合判定値Ｈを替えるようにしてもよい。例えば継合判定値Ｈを設定するマップを潤滑油の粘度変化に合わせてより多く用意しておくようにしてもよい。また、第１マップの継合判定値Ｈや第３マップの継合判定値Ｈを、潤滑油の粘度に相関する値（冷却水温や油温など）で補正するようにしてもよい。
【００７８】
・継合判定値Ｈを設定するマップを、潤滑油の粘度変化を考慮して切り替えるようにしたが、より簡易的には、そうした切替を省略してもよい。例えば、先の図４に示したステップＳ２２０及びステップＳ２５０の各処理と第２マップとを省略して、ステップＳ２１０にて肯定判定されるときには、ステップＳ２４０の処理を行うようにしてもよい。また、先の図４に示したステップＳ２３０及びステップＳ２７０の各処理と第４マップとを省略して、ステップＳ２１０にて否定判定されるときには、ステップＳ２６０の処理を行うようにしてもよい。この場合でも、上記（５）以外の効果を得ることができる。
【００７９】
・エンジン１０が、所定条件の成立時に自動停止や自動始動を行うエンジンである場合には、上述したカウンタＣのクリヤ条件として、「自動停止の条件が成立している」という条件を追加してもよい。この場合には、自動停止するにもかかわらずクラッチ１２の継合判定を行うといった、不要な継合判定の実行を抑えることができる。
【００８０】
・基本軸トルクＴＥｂに対してなまし処理を行うようにしたが、なまし処理を省略して基本軸トルクＴＥｂをそのままエンジン軸トルクＴＥとしてもよい。この場合でも、上記（４）以外の効果を得ることができる。
【００８１】
・なまし処理による基本軸トルクＴＥｂのなまし度合を、アクセルペダルの非操作時に比して操作時の方が小さくなるようにした。この他、より簡易的には、アクセルペダルの非操作時と操作時とで基本軸トルクＴＥｂのなまし度合を同一にしてもよい。
【００８２】
・上記式（１）に基づいて基本軸トルクＴＥｂを算出するようにしたが、その算出態様は一例であり、その他の態様にて基本軸トルクＴＥｂを算出するようにしてもよい。
・基本軸トルクＴＥｂを機関運転状態に基づいて推定するようにしたが、センサ等を用いて実際に検出するようにしてもよい。この場合でも、上記（６）以外の効果を得ることができる。
【符号の説明】
【００８３】
１０…エンジン、１１…クランクシャフト、１２…クラッチ、１３…クラッチペダル、１４…手動変速機、１５…変速機入力軸、１６…シフトレバー、１７…制御装置、２０…エアフロメータ、２１…クランク角センサ、２２…水温センサ、２３…アクセルセンサ、２４…車速センサ、２５…シフトセンサ、２６Ｕ…第１クラッチスイッチ、２６Ｌ…第２クラッチスイッチ、３０…コンプレッサ、３１…オルタネータ。
【図１】
2014189063.tif 000003
【図２】
2014189063.tif 000004
【図３】
2014189063.tif 000005
【図４】
2014189063.tif 000006
【図５】
2014189063.tif 000007
【図６】
2014189063.tif 000008